(57)【要約】【課題】十分な暖房効果を得ることができ、かつ、室内を動き回る場合の活動性が制約されることがなく、また、簡単な構造で、しかも比較的安価に実施することができる履物を提供する。【解決手段】本考案の履物１０は、履物本体部１２が足の周りをほぼ全面的に包み込むように靴型に形成されており、この履物本体部１２の底部１２ａに足暖房用の保温用品Ａを収納する収納空間部１２ｅが設けられている。また、収納空間部１２ｅが履物本体部１２の外面に開口する挿入口１２ｆの近傍には、この挿入口１２ｆを開閉する留め具１３が取り付けられている。【選択図】　図１
0003097722.tif 000002
【実用新案登録請求の範囲】
【請求項１】
履物本体部の一部に足暖房用の保温用品を収納する収納空間部を設けたことを特徴とする履物。
【請求項２】
前記収納空間部を前記履物本体部の足の裏と接する部分、および足の甲を覆う部分の少なくとも一方に設けたことを特徴とする請求項１に記載の履物。
【請求項３】
前記履物本体部を足の周りをほぼ全面的に包み込むように靴型に形成するとともに、前記収納空間部を前記履物本体部の足の側面を覆う部分および踵を覆う部分の少なくとも一方に設けたことを特徴とする請求項１または請求項２に記載の履物。
【請求項４】
前記収納空間部が前記履物本体部の外面に開口する挿入口の近傍に、この挿入口を開閉する留め具を設けたことを特徴とする請求項１ないし請求項３のいずれか１項に記載の履物。
【考案の詳細な説明】
【０００１】
【考案の属する技術分野】
本考案は、スリッパ等の履物に関し、特には、保温、暖房効果を高めるための技術に関する。
【０００２】
【従来の技術】
一般に、室内温度が低下する冬季などにおいては、学習作業や事務作業を行うために椅子などに座った状態でいると、足元付近から寒さを感じることが往々にしてある。
【０００３】
灯油、ガス、電気などを熱源として利用した室内暖房器具は、室内全体を暖めるのには都合が良いが、熱対流などの関係で上半身ばかり暖められて足元が冷えたままであることが多い。
【０００４】
これに対して、電気こたつなどは、足元を十分に暖めることができるものの、座り込んだ姿勢を余儀なくされるので、室内を移動する必要が生じた場合には、その度に腰を上げて動作を行わねばならず、活動性に乏しい。したがって、各種の事務作業や学習作業を行うのには不適である。
【０００５】
椅子やソファーなどに座った状態で足元を暖かくするには、たとえば、足元付近に電熱ヒータや温風ファンヒータ等のような局所暖房器具を配置することも行われている。しかし、このような局所暖房器具は、人の動作に合わせて一緒に移動させることは容易ではなく、したがって、局所暖房器具の設置場所から少しでも離れると暖房が効かなくなって足元が冷えてしまう。
【０００６】
ところで、家庭や事業所などの室内では、スリッパなどの履物が使用されることが多い。そこで、従来技術では、スリッパ等の履物の内部に電気ヒータを内蔵させて足元を暖かくするような暖房器具も提供されている。
【０００７】
【考案が解決しようとする課題】
上記のように、履物に電気ヒータを内蔵させた暖房器具は、人の動作に合わせて一緒に移動させることができるが、電気ヒータに通電するための電源コードが常時接続された構造になっているため、室内を動き回る場合の移動範囲が極めて限定されたものになってしまい、活動性が大幅に制約されたものになる。
【０００８】
しかも、履物の内部に電気ヒータを内蔵させた場合には、その構造が複雑になり、また、購入価格が高く、さらに、電気代などのランニングコストも高くつくという不具合がある。
【０００９】
本考案は、上記のような事情に鑑みて創案されたものであり、十分な暖房効果を得ることができ、かつ、室内を動き回る場合の活動性が制約されることがなく、また、簡単な構造で、しかも比較的安価に実施することができる履物を提供することを目的とする。
【００１０】
【課題を解決するための手段】
上記の目的を達成するため、請求項１記載の考案にかかる履物では、履物本体部の一部に足暖房用の保温用品を収納する収納空間部を設けたことを特徴としている。
【００１１】
請求項２記載の考案に係る履物は、請求項１記載の考案の構成において、前記収納空間部を前記履物本体部の足の裏と接する部分、および足の甲を覆う部分の少なくとも一方に設けたことを特徴としている。
【００１２】
請求項３記載の考案に係る履物は、請求項１または請求項２に記載の考案の構成において、前記履物本体部を足の周りをほぼ全面的に包み込むように靴型に形成するとともに、前記収納空間部を前記履物本体部の足の側面および踵の少なくとも一方を覆う部分に設けたことを特徴としている。
【００１３】
請求項４記載の考案に係る履物は、請求項１ないし請求項３のいずれか１項に記載の考案の考案においてい、前記収納空間部が前記履物本体部の外面に開口する挿入口の近傍に、この挿入口を開閉する留め具を設けたことを特徴としている。
【００１４】
【考案の実施の形態】
［実施の形態１］
図１は本考案の実施の形態１における履物であるスリッパの外観形状を示す斜視図、図２はその断面構造を示す側断面図である。
【００１５】
この実施の形態１におけるスリッパ１０は、踏底１１の上に履物本体部１２が一体的に接合されてなる。履物本体部１２は、足の周囲をほぼ全面的に包み込むように靴型に形成されたもので、足の裏が接する底部１２ａ、足先に突っ掛かって足の甲を覆う甲覆い部１２ｂ、足の側面を覆う側面覆い部１２ｃ、および足の踵を覆う踵覆い部１２ｄを有する。
【００１６】
そして、この履物本体部１２の底部１２ａにおける足先寄りの位置には、例えば、いわゆる使い捨てカイロや、電子レンジで加熱することで繰り返し使用が可能なジェル状保温剤などの簡易な保温用品Ａを収納するための収納空間部１２ｅが底部１２ａを穿った状態で形成されている。
【００１７】
この収納空間部１２ｅは、その一部が甲覆い部１２ｂの側面に開口して保温用品Ａの挿入口１２ｆとされており、その挿入口１２ｆには留め具１３が取り付けられている。この場合の留め具１３は、ここでは面ファスナーを使用しているが、ジッパーやボタンなどであってもよい。
【００１８】
上記構成のスリッパ１０において、足の暖房が特に不要なときには、保温用品Ａを使用することなく、そのままの状態で通常の履物として利用することができる。
【００１９】
一方、冬季などに足元を暖めたいと感じた場合には、履物本体部１２の収納空間部１２ｅ内に保温用品Ａを収納した後、留め具１３を用いて挿入口１２ｆを閉鎖する。これにより、収納空間部１２ｅが外部に露出することなく密閉状態になる。このため、保温用品Ａに対する保温効果が高まるとともに、美観も保たれる。また、保温用品Ａからの熱はスリッパ１０を履いた足の裏側に直接伝わるため、寒さが厳しい冬季等であっても、十分な暖房効果を得ることが可能となる。
【００２０】
しかも、このスリッパ１０は、通電用の電源コードなどが不要であるため、室内を動き回る場合の活動性が制約されることがない。さらに、簡単な構造であるために安価に実施することができ、また、ランニングコストが安く、長時間にわたって使用することができる。さらにまた、電気を使用しないので安全性も高い。
【００２１】
なお、上記の実施の形態１では、保温用品Ａを収納する収納空間部１２ｅの挿入口１２ｆが甲覆い部１２ｂの側面に開口するようにしているが、甲覆い部１２ｂの先端部に開口するような構成であってもよい。また、ここでは収納空間部１２ｅを底部１２ａの足先寄りの位置に設けたが、底部１２ａの中央寄りの土踏まず位置や踵寄りの位置に設けてもよく、さらには収納空間部１２ｅを底部１２ａの広い領域に渡って形成することで複数の保温用品Ａを同時に収納できるようにして、さらに暖房効果を高めるようにしてもよい。
【００２２】
また、図３および図４に示すように、履物本体部１２の甲覆い部１２ｂの上部に収納空間部１２ｅを設けて保温用品Ａを収納できるようにしたり、さらに、図５および図６に示すように、踵覆い部１２ｄに収納空間部１２ｅを設けて保温用品Ａを収納できるようにしてもよい。さらにまた、図示省略しているが、側面覆い部１２ｃに収納空間部を設けて保温用品を収納したり、あるいは、底部１２ａ、甲覆い部１２ｂ、側面覆い部１２ｃ、踵覆い部１２ｄのそれぞれに収納空間部を設け、各収納空間部に保温用品Ａを収納して足元付近全体に渡って暖房効果を得る構造とすることも可能である。
【００２３】
［実施の形態２］
図７は本考案の実施の形態２における履物であるスリッパの外観形状を示す斜視図、図８はその断面構造を示す側断面図である。
【００２４】
この実施の形態２におけるスリッパ２０は、踏底２１の上に履物本体部２２が一体的に接合されてなり、履物本体部２２は、足の裏が接する底部２２ａと、つま先に突っ掛かって足の甲を覆う甲覆い部２２ｂとを有する。
履物本体部２２の底部２２ａにおける足先寄りの位置には、上記の実施の形態１の場合と同様に、いわゆる使い捨てカイロや、電子レンジで加熱することで繰り返し使用が可能なジェル状保温剤などの簡易な保温用品（図示省略）を収納するための収納空間部２２ｅが底部２２ａを穿った状態で形成されている。
【００２５】
そして、この収納空間部２２ｅは、その一部が甲覆い部２２ｂの側面に開口して保温用品の挿入口２２ｆとされており、その挿入口２２ｆにはジッパーや面ファスナー等の開閉自在な留め具２３が取り付けられている。
【００２６】
上記構成のスリッパ２０は、実施の形態１の場合と同様に、足の暖房が特に不要なときには、保温用品を使用することなく、そのままの状態で通常の履物として利用することができる。また、足元を暖める場合には、保温用品を履物本体部２２の収納空間部２２ｅ内に収納することで、保温用品の熱が足裏に直接伝わるため、寒さが厳しい冬季等であっても、十分な暖房効果を得ることが可能となる。
【００２７】
さらに、このスリッパ２０は、通電用の電源コードなどが不要であるため、室内を動き回る場合の活動性が制約されることがない。さらに、簡単な構造であるために安価に実施することができ、また、ランニングコストが安く、長時間にわたって使用することができる。さらにまた、電気を使用しないので安全性も高い。
【００２８】
なお、この実施の形態２においても、収納空間部２２ｅは履物本体部２２の底部２２ａの足先寄りの位置に設けた構成に限らず、足裏の中央寄りの土踏まず位置や踵寄りの位置を選んで設けてもよく、また、甲覆い部２２ｂに設けてもよい。
【００２９】
上記の各実施の形態１，２では、履物としてスリッパ１０，２０に適用した場合を例にとって説明したが、このようなスリッパのみに限定されるものではなく、スリッパ以外の履物であってもよい。また、履物としては室内用のものに限らず、屋外用のものであっても良いことは勿論である。
【００３０】
【考案の効果】
請求項１記載の考案にかかる履物にあっては、履物本体部の一部に足暖房用の保温用品を収納する収納空間部を設けたので、十分な暖房効果を得ることができ、かつ、室内を動き回る場合の活動性が制約されることがない。また、簡単な構造で、しかも比較的安価に実施することができる。さらに、電気を使用しないので安全性も高い。
【００３１】
請求項２記載の考案にかかる履物では、履物本体部の足の裏と接する部分、および足の甲を覆う部分の少なくとも一方に収納空間部を設けているので、足の裏側や足の甲側から十分な暖房効果を得ることが可能となる。
【００３２】
請求項３記載の考案にかかる履物は、足の周囲をほぼ全面的に包み込む構成を有しており、保温用品を収納する収納空間部が足の側面または踵を覆う部分に設けられているので、一層大きな暖房効果を得ることができる。
【００３３】
請求項４記載の考案にかかる履物では、保温用品を収納する収納空間部の挿入口に開閉自在な留め具を設けているので、収納空間部に収納された保温用品が外部へ露出することがなくて保温効果が高まるとともに、美観を良好に保つことができる。
【図面の簡単な説明】
【図１】本考案の実施の形態１におけるスリッパの外観形状を示す斜視図である。
【図２】図１の断面構造を示す側断面図である。
【図３】本考案の実施の形態２におけるスリッパの変形例を示す斜視図である。
【図４】図３の断面構造を示す側断面図である。
【図５】本考案の実施の形態２におけるスリッパのさらに他の変形例を示す斜視図である。
【図６】図５の断面構造を示す側断面図である。
【図７】本考案の実施の形態２におけるスリッパの外観形状を示す斜視図である。
【図８】図７の断面構造を示す側断面図である。
【符号の説明】
１０，２０　　　スリッパ（履物）
１２，２２　　　履物本体部
１２ａ，２２ａ　底部（足の裏が接する部分）
１２ｂ，２２ｂ　甲覆い部（足の甲を覆う部分）
１２ｃ　　側面覆い部（足の側面を覆う部分）
１２ｄ　　踵覆い部（足の踵を覆う部分）
１２ｅ，２２ｅ　収納空間部
１２ｆ，２２ｆ　挿入口
１３，２３　　　留め具
Ａ　　　保温用品
【図１】
0003097722.tif 000003
【図２】
0003097722.tif 000004
【図３】
0003097722.tif 000005
【図４】
0003097722.tif 000006
【図５】
0003097722.tif 000007
【図６】
0003097722.tif 000008
【図７】
0003097722.tif 000009
【図８】
0003097722.tif 000010